(57)【要約】【課題】ゴルフのアドレス時の足の開き具合に関して、プレイヤー個人の適正に応じた指標を表すことができるゴルフシューズを提供することを課題とする。【解決手段】甲部表面に線分上に配置される指標１１が設けられた指標付きゴルフシューズＸであって、前記指標１１はゴルフシューズＳの底面に垂直な回転軸に対して２以上の回転位置に変化できるように形成される。これによって、プレイヤーは指標をスタンスの基準として使用することにより、球を打つたびごとに同一のスタンスをとることができるとともに、指標を複数の回動位置に変化させることができるので、プレーヤーに応じて指標の回動位置を選択して複数のスタンスに対応することが可能となる。【選択図】  図２
2009045393.tif 000002
【特許請求の範囲】
【請求項１】
甲部表面に線分上に配置される指標が設けられたゴルフシューズであって、前記指標はゴルフシューズの底面に垂直な回転軸に対して２以上の回転位置に変化できるように形成される指標付きゴルフシューズ。
【請求項２】
前記指標が２以上設けられる請求項１に記載の指標付きゴルフシューズ。
【請求項３】
前記指標の少なくとも１つは、紐体又は棒体により形成されるとともに、一端側を前記甲部表面に回動可能に保持され、他端側が甲部表面に２以上の回動位置で固定可能に形成される請求項１又は２に記載の指標付きゴルフシューズ。
【請求項４】
前記指標の少なくとも１つは、棒体により形成されるとともに、一箇所が前記甲部表面に回動可能かつ２以上の回動位置に固定可能に固定される請求項１又は２に記載の指標付きゴルフシューズ。
【請求項５】
前記指標の少なくとも１つは、複数の底面に係合部が形成された小片により形成され、かつ、前記甲部表面に前記２以上の回動位置における前記線分上に配列される被係合部が形成される請求項１又は２に記載の指標付きゴルフシューズ。
【請求項６】
前記指標の少なくとも１つは、甲部表面に固定される、折り曲げられた状態で保持されたシート体の折り曲げ線により形成され、当該シート体は、当該折り曲げ線が前記２以上の異なる回動位置における前記線分を構成するように２以上の折り曲げ状態に保持できる請求項１又は２に記載の指標付きゴルフシューズ。
【請求項７】
前記指標付きゴルフシューズにおいて、さらに、ゴルフシューズの側部に真直ぐに張り出し、ゴルフシューズ側部との連結点において回動可能に固定される、靴底内部もしくは甲部表面上に収納可能に形成された補助指標が設けられた請求項１から６のいずれか1項に記載の指標付きゴルフシューズ。
【請求項８】
前記補助指標は、左右のゴルフシューズを連結する紐体もしくは棒体により形成される請求項７に記載の指標付きゴルフシューズ。
【発明の詳細な説明】
【技術分野】
【０００１】
本発明は甲部にスタンスにおける足の開き方の基準となる指標が設けられたゴルフシューズに関する。
【背景技術】
【０００２】
ゴルフのスイングにおいてアドレスは重要である。とりわけ、目標に対してスクウェアーなスタンスをとることが基本であるが、この際に、足の開き方は、ホーガンスタイルやレッドベタースタイルなどがポピュラーである。ホーガンスタイルは、利き足側を球を打つ方向にほぼ直角にし、他方の足をやや開くスタイルであり、レッドベタースタイルは両足ともにやや開くスタイルである。
このような足の開き具合は、通常はプレーヤーの感覚で行うことになるが、微妙な開き具合の違いでうまく打てなくなることがある。このような問題に対して、下記特許文献１に記載の発明にかかるゴルフシューズは、ホーガンスタイルもしくはレッドベタースタイルをとったときに、球を打つ方向に平行な線分からなる指標と、これに直角な線分からなる指標とが甲部表面に描かれている。
これにより、プレーヤーはアドレスの際に、ゴルフシューズに描かれた指標の位置を合わせることで、常に望ましい足の開き具合を実現することができる。
【特許文献１】特開平８−３３５０３号公報
【発明の開示】
【発明が解決しようとする課題】
【０００３】
ところで、プレーヤーは個人ごとに癖があり、最適な足の開き具合は個人ごとに異なる。しかし、上記特許文献１に記載の発明では、開き具合が一種類に固定してしまうので、一組のゴルフシューズではプレーヤーに応じた柔軟な対応ができない。
本発明は、このような問題に鑑み、ゴルフのアドレス時の足の開き具合に関して、プレーヤー個人の適正に応じた指標を表すことができるゴルフシューズを提供することを課題とする。
【課題を解決するための手段】
【０００４】
上記課題を解決するために、本発明は次のような構成を有する。
請求項１に記載の発明は、甲部表面に線分上に配置される指標が設けられたゴルフシューズであって、前記指標はゴルフシューズの底面に垂直な回転軸に対して２以上の回転位置に変化できるように形成される指標付きゴルフシューズである。
請求項２に記載の発明は、前記指標付きゴルフシューズにおいて、前記指標が２以上設けられるものである。
【０００５】
請求項３に記載の発明は、請求項１又は２に記載の指標付きゴルフシューズにおいて、前記指標の少なくとも１つは、紐体又は棒体により形成されるとともに、一端側を前記甲部表面に回動可能に保持され、他端側が甲部表面に２以上の回動位置で固定可能に形成されるものである。なお、紐体には鎖及び帯が含まれる。
請求項４に記載の発明は、請求項１又は２に記載の指標付きゴルフシューズにおいて、前記指標の少なくとも１つは、棒体により形成されるとともに、一箇所が前記甲部表面に回動可能かつ２以上の回動位置に固定可能に固定されるものである。
【０００６】
請求項５に記載の発明は、請求項１又は２に記載の指標付きゴルフシューズにおいて、前記指標の少なくとも１つは、複数の底面に係合部が形成された小片により形成され、かつ、前記甲部に前記２以上の回動位置における前記線分上に配列される被係合部が形成されるものである。
請求項６に記載の発明は、請求項１又は２に記載の指標付きゴルフシューズにおいて、前記指標の少なくとも１つは、甲部表面に固定される、折り曲げられた状態で保持されたシート体の折り曲げ線により形成され、当該シート体は、当該折り曲げ線が前記２以上の異なる回動位置における前記線分を構成するように２以上の折り曲げ状態に保持できるものである。
【０００７】
請求項７に記載の発明は、前記指標付きゴルフシューズにおいて、さらに、ゴルフシューズの側部に真直ぐに張り出し、ゴルフシューズ側部との連結点において回動可能に固定される、靴底内部もしくは甲部表面上に収納可能に形成された補助指標が設けられたものである。
請求項８に記載の発明は、請求項７に記載の指標付きゴルフシューズにおいて、前記補助指標が左右のゴルフシューズを連結する紐体もしくは棒体により形成されるものである。
【発明の効果】
【０００８】
請求項１に記載の発明は、指標をスタンスの基準として使用することにより、球を打つたびごとに同一のスタンスをとることができるとともに、指標を複数の回動位置に変化させることができるので、プレーヤーに応じて指標の回動位置を選択して複数のスタンスに対応することが可能となる。
請求項２に記載の発明は、指標を２つ以上設けることで、複数の指標に基づいてスタンスを設定することができ、より正確に同一のスタンスを実現することができる。
【０００９】
請求項３、４に記載の発明は、指標が線を形成するので、スタンスの設定に際して認識がしやすい。
【００１０】
請求項５に記載の発明は、指標を小片により形成することで、ゴルフシューズ甲部上において目立つことがなく、デザイン的に邪魔にならない。
請求項６に記載の発明は、指標をシート体の折り曲げ線により形成することで、ゴルフシューズ甲部の装飾として使用することができる。
【００１１】
請求項７に記載の発明は、甲部表面のみでは小さく見にくい指標の補助として、補助指標を使用することで、より、視覚的に認識しやすくすることができる。また、未使用時には靴底内部又は甲部表面上に収納することができるので、補助指標が歩行の邪魔にならない。
請求項８に記載の発明は、。補助指標を左右のゴルフシューズを連結する紐体又は棒体とすることで、補助指標の角度を足の位置を変えることで変えることができ、操作が簡易となる。
【発明を実施するための最良の形態】
【００１２】
以下、本発明の実施形態について、図面を参照しながら説明する。
（実施形態１）
図１に本実施形態１に係る指標付きゴルフシューズＸの斜視図を示す。指標付きゴルフシューズＸは、ゴルフシューズ本体Ｓの甲部表面に指標部１０が設けられたものである。ゴルフシューズ本体Ｓは一般的なゴルフシューズである。指標部１０は、チェーンにより形成される指標１１と、指標１１の一端を回動可能に甲部表面に固定する支点部１２と、指標１１の他端に固定される磁石１３と、磁石１３が吸い付く三日月状の鉄板１４とから構成される。鉄板１４は磁石１３が吸い付いた状態で、指標１１が延びた状態で、支点部１２を軸として異なる回動位置を取るような位置および形状を有する。図に示す指標付きゴルフシューズＸは左足用のものであるが、右足用の指標付きゴルフシューズにも指標部１０が対象に形成される。
【００１３】
図２（ａ）（ｂ）に左右の指標付きゴルフシューズＸの使用状態を表す平面図を示す。（ａ）はホーガンスタイルに近く、右足は球を打つ方向にほぼ直角を向き、左足はやや開くような形を取ったスタンスにする場合を示している。このスタンスを常に実現するために、指標部１０の指標１１の回動位置を調整して、このスタンスになったときに、左右の指標１１が球を打つ方向に平行になるように、（ａ）に示すような形にしておく。これにより、実際に球を打つ際には、左右の指標１１が球を打つ方向に一致するように足の角度を調整することで、同じスタンスで球を打つことが可能となる。（ｂ）はレッドベタースタイルに近い形であり、右足も外側に開いたスタンスである。このスタンスを実現する場合も同様に、このスタンスの際に左右の指標が球を打つ方向に平行となるように予め調整しておけば、実際に球を打つ際に、球を打つ方向に対して指標１１の方向をそろえれば、同じスタンスを実現することができる。指標付きゴルフシューズＸにおいて、指標１１は任意の位置に調整することができるので、プレーヤーごとに最も適したスタンスが実現できるように指標を調整することで、柔軟にプレーヤーの個性や癖に対応することができる。
【００１４】
（実施形態２）
図３に実施形態２に係る指標付きゴルフシューズＸａの甲部近傍を表す図を示す。ゴルフシューズＸａも通常のゴルフシューズ本体Ｓの甲部表面に指標部２０が設けられたものである。指標部２０は、２つの指標２１及び２５を有する。指標２１は、鉄製の細長い板体により形成され、中心で回動軸２２により甲部表面に回動可能に固定されている。また、指標２１をゴルフシューズ本体Ｓの前後方向に対して水平にした際に、両端部が接する甲部表面位置には長方形状の扁平な磁石２３が固定されている。このような構造により、指標２１は、端部が磁石２３に吸い付く範囲において、任意の回動位置で固定することが可能となる。指標２５も鉄製の細長い板体により形成され、基端近傍で、回動軸２２により甲部表面に回動可能に固定されている。そして、指標２５の先端をゴルフシューズ本体Ｓの先端側に向けた際に、先端部が接する甲部表面位置には長方形状の扁平な磁石２６が固定されている。このような構造により、指標２５も先端が磁石２６に吸い付く範囲において、任意の回動位置で固定することが可能となる。
【００１５】
このような構成を有する指標付きゴルフシューズＸａの指標部２０の使用方法は、指標２１に関しては、実施形態１に係る指標付きゴルフシューズＸの指標１１と同様である。指標２５は、プレーヤーが欲するスタンスにおいて、球を打つ方向に対して直角になるように設定しておく。これにより、指標２１を球を打つ方向に一致させると、左右の指標付きゴルフシューズＸａの指標２５は互いに平行になる。即ち、指標２１同士がほぼ直線上に並ぶことと、指標２５同士が平行に並ぶこととの２つを視覚的に合わせることで、より同一のスタンスを正確に実現することができる。
【００１６】
（実施形態３）
図４（ａ）に実施形態３に係る指標付きゴルフシューズＸｂの甲部近傍を表す図を示す。指標付きゴルフシューズＸｂも通常のゴルフシューズ本体Ｓの甲部表面に指標部３０が設けられたものである。指標部３０は、３つの小片３１からなる指標と、小片３１を固定する甲部表面に設けられる係合穴３２とから構成される。図４（ｂ）に小片３１を取り外したゴルフシューズＸｂの甲部近傍を表す図を示す。小片３１は、上面が半球体で底部中央から球体が固定された足が下方に伸びている。球体は係合穴３２よりもやや大きな外径をしており、皮又は合成皮革により形成されるゴルフシューズ甲部の係合穴３２にこの球体部分を差し入れることで、小片３１を固定することができる。係合穴３２は、3本の線分上に並ぶように配されている。従って、小片３１を、３本の線分のいずれかの上に並ぶように係合させることで、小片３１を足の開き具合の基準となる指標として使用することができる。図４（ａ）では、真ん中の線分に小片３１が並ぶように設定されている。
指標付きゴルフシューズＸｂの使用方法も、上記実施形態にかかるものと同様であり、望ましいスタンスをとった場合に、小片３１が球を打つ方向に平行に並ぶように係合穴３２に固定することで指標を形成すればよい。
【００１７】
（実施形態４）
図５（ａ）に実施形態４に係る指標付きゴルフシューズＸｃの甲部近傍を表す図を示す。指標付きゴルフシューズＸｃも通常のゴルフシューズ本体Ｓの甲部表面に指標部４０が設けられたものである。指標部４０は、前縁側が甲部表面に固定され後縁側が折り曲げられたシート体４１と、シート体４１の折り曲げられた上方に位置する部分の図上右端に設けられる金属ホックの係合部４２と、シート体４１の折り曲げられた下方に位置する部分の図上右端に設けられる３つの金属ホックの被係合部４３とから構成される。なお、図５（ａ）では、一番奥側の被係合部４３は係合部４２と係合しているために見えない。そして、シート体４１の折り曲げられた折り曲げ線である縁部４１ａが足の開き具合の基準となる指標を形成する。被係合部４３が３つ設けられているので、係合部４２の係合を適宜いずれかの被係合部４３に変えることで、折り曲げられた縁部４１ａの位置を図上左端部を中心に回動するように変えることができる。図５（ｂ）に真ん中の被係合部４３に係合部４２を係合させた状態を示す。この状態では、折り曲げられた縁部４１ａはやや右下がりに移動する。また、一番奥の被係合部４３は折り曲げられたシート体４２の内側に巻き込まれることとなる。
指標付きゴルフシューズＸｃの使用方法も、上記実施形態にかかるものと同様であり、望ましいスタンスをとった場合に、折り曲げられた縁部４２ａが球を打つ方向に平行に並ぶように係合部４２の係合位置を選択して固定すればよい。
【００１８】
（実施形態５）
図６に実施形態５に係る指標付きゴルフシューズＸｄの甲部近傍を表す図を示す。指標付きゴルフシューズＸｄも通常のゴルフシューズ本体Ｓの甲部表面に指標部５０が設けられたものである。指標部５０は、棒体からなる指標５１と、指標５１を回動可能かつ任意の位置に固定可能に固定する回動固定部５２とから構成される。回動固定部５２は半球体に指標５１を固定するとともに、半球体下面に甲部を構成する皮又は合成皮革に貫通する軸が形成され軸部の下端に設けられる狭持板と半球体下面とで甲部を構成する皮又は合成皮革を狭持している。これにより、摩擦力で回動固定部５２は任意の回動位置に固定できるとともに、摩擦力に抗する力で回動させることで回動させることができる。
指標付きゴルフシューズＸｄの使用方法も、上記実施形態にかかるものと同様であり、望ましいスタンスをとった場合に、指標５１が球を打つ方向に平行に並ぶように回動させて固定すればよい。
【００１９】
（実施形態６）
図７（ａ）に実施形態６に係る指標付きゴルフシューズＸｅの平面図を示す。指標付きゴルフシューズＸｅも通常のゴルフシューズ本体Ｓの甲部表面に指標部６０が設けられたものである。指標部６０は、指標となる帯状体６１、帯状体６１の一端を甲部表面に回動可能に固定する回動固定部６２、線材からなり、両端に甲部表面に固定される脚部が形成され、甲部表面に対して帯状体６１が通る隙間が形成される平面視三日月状の規制体６３、帯状体６１の回動固定部６２の位置に設けられる面ファスナーの係合部６４ａ、帯状体６１の面ファスナーの係合部６４ａが設けられる側とは反対の端部に設けられる、面ファスナーの被係合部６４ｂとから構成される。帯状体６１には指標として見やすいように、黒い幅広の線６１ａが描かれている。帯状体６１は図に示すように、ゴルフシューズ本体Ｓの側方に張り出すように形成される。帯状体６１は、甲部表面に位置する部分が指標を形成し、ゴルフシューズ本体Ｓより外部に張り出す部分は補助指標を形成する。この補助指標は、図７（ｂ）に示すように規制体６３の位置で帯状体６１を折り返し、面ファスナーの係合部６４ａと被係合部６４ｂとを係合させることで甲部表面に収納することができる。
この指標付きゴルフシューズＸｅの使用方法も、上記実施形態にかかるものと同様であり、望ましいスタンスをとった場合に、帯状体６１が球を打つ方向に平行に並ぶように回動させて固定すればよい。この状態で、帯状体６１はゴルフシューズ本体Ｓよりも外方に張り出す補助指標を有するので、より視覚的に方向を合わせやすくなる。
【００２０】
（実施形態７）
図８（ａ）に実施形態７に係る指標付きゴルフシューズＸf1、Ｘf2の平面図を示す。指標付きゴルフシューズＸf１、Ｘf2は、実施形態２に係る指標付きゴルフシューズXａに、補助指標部１１０が設けられたものである。補助指標部１１０は、紐体からなる先端にフック１１１ａが設けられた補助指標１１１と、補助指標を巻きつけるリール１１２と、補助指標のフック１１１ａを引っ掛けるリング部１１３とから形成される。図８（ｂ）にフック１１１ａを外した状態の指標付きゴルフシューズＸf1、Ｘf2の底面図を示す。リール１１２は指標付きゴルフシューズＸf1の底板内部に設けられ、ゼンマイにより自動的に補助指標１１１を巻き取るように形成される。また、指標付きゴルフシューズＸf1の底板側面には補助指標１１１が通るための穴が形成されている。リング部１１３は指標付きゴルフシューズＸf1の底板底部側部に切り欠きが形成され、その内部に設けられる。
このような構成を有する指標付きゴルフシューズXf1、Xf2は、指標部については実施形態２に係る指標付きゴルフシューズＸａと同様に設定する。そして、補助指標部１１０の補助指標１１１を引き出し、フック１１１ａをリング１１３に引っ掛ける。これにより、スクエアなスタンスをとると球を打つ方向と補助指標１１１は平行となる。そして、指標部の指標２１もこれに平行となることから、補助指標１１１と指標部の指標を一致させるようにスタンスを形成すればよいので、より正確に望ましいスタンスをとることができる。
【００２１】
（実施形態８）
図９に実施形態８に係る指標付きゴルフシューズＸgの平面図を示す。指標付きゴルフシューズＸgは実施形態１に係る指標付きゴルフシューズＸに補助指標部１２０が設けられたものである。補助指標部１２０は金属の細長い帯体からなる補助指標１２１と、補助指標１２１を収納する収納部１２２とから構成される。図１０（ａ）に図９のＡ−Ａ断面図を示す。図に示すように収納部１２２は、甲部裏面を左右にアーチ状に走る細長い隙間として形成される。補助指標１２１は、収納部１２２に丁度収まる長さを有しており、図１０（ｂ）に示すように、使用しないときは補助指標１２１は収納部１２２に収納しておくことができる。また、収納部１２２の補助指標１２０が通る開口は狭くなっているとともに、補助指標１２１の後端は側方に広がっており、この開口を通ることができないようになっている。また、補助指標は薄い帯体であり、収納部１２２も柔らかい皮又は合成皮革により形成されるので、補助指標１２１は引き出した後、ある程度前後に回動させて固定することができる。
このような構成を有する指標付きゴルフシューズＸgは、指標部１０については実施形態１に係る指標付きゴルフシューズＸと同様に設定する。そして、スタンスをとった後に、補助指標部１２０の補助指標１２１を引き出し、指標部１０の指標１１に方向を合わせて補助指標１２１と指標部の指標１１を一致させるようにスタンスを形成することで、望ましいスタンスをとることができる。
【００２２】
（実施形態９）
図１１（ａ）に実施形態９に係る指標付きゴルフシューズＸhの斜視図を示す。指標付きゴルフシューズＸhは実施形態１に係る指標付きゴルフシューズＸに補助指標部１３０が設けられたものである。補助指標部１３０は、靴底内部に収納できるように形成されている。補助指標部１３０は、補助指標となる複数の角パイプ１３１ａ、１３１ｂ、１３１ｃ、１３１ｄが入れ子になっており、伸縮自在に形成される。図１１（ｂ）に補助指標部１３０部分をのばした状態における、当該部分の靴底の断面図を示す。補助指標部１３０は複数の入れ子になった角パイプ１３１ａ、１３１ｂ、１３１ｃ、１３１ｄ、靴底内の細長い穴からなる収納部１３２、収納部１３２の出入口に設けられる球継ぎ手１３３により形成される。先端に位置する角パイプ１３１ａの先端には引き出しやすいように板体１３１ａｂが固定されている。また、基端に位置する角パイプ１３１ｄの基端部には球継ぎ手１３３から抜けないように突起が設けてある。このような構成により、未使用時は入れ子となった角パイプ１３１ａ、１３１ｂ、１３１ｃを基端側の角パイプ内部に収納し、角パイプ１３１ｄを収納部１３２に収納することで靴底内部に収納することができる。そして、使用に際しては入れ子となった角パイプ１３１ａ〜１３１ｄを伸ばして補助指標とし、基端の球継ぎ手１３３により適宜角度を代えることができる。
このような構成を有する指標付きゴルフシューズＸhは、指標部１０については実施形態１に係る指標付きゴルフシューズＸと同様に設定する。そして、スタンスをとった後に、補助指標部１３０の角パイプ１３１ａ〜１３１ｄを引き出し、指標部１０の指標１１に方向を合わせて各パイプ１３１ａ〜１３１ｄと指標部の指標１１を一致させるようにスタンスを形成することで、望ましいスタンスをとることができる。
【図面の簡単な説明】
【００２３】
【図１】実施形態１に係る指標付きゴルフシューズの斜視図である。
【図２】（ａ）（ｂ）ともに実施形態１に係る指標付きゴルフシューズ使用状態を示す平面図である。
【図３】実施形態２に係る指標付きゴルフシューズＸａの甲部近傍を表す図である。
【図４】（ａ）は実施形態３に係る指標付きゴルフシューズＸｂの甲部近傍を表す図であり、（ｂ）は、小片を取り外した実施形態３に係るゴルフシューズの甲部近傍を表す図をである。
【図５】（ａ）は実施形態４に係る指標付きゴルフシューズの甲部近傍を表す図であり、（ｂ）は真ん中の被係合部４３に係合部４２を係合させた状態の実施形態４に係る指標付きゴルフシューズの甲部近傍を表す図である。
【図６】実施形態５に係る指標付きゴルフシューズの甲部近傍を表す図である。
【図７】（ａ）は実施形態６に係る指標付きゴルフシューズの平面図であり、（ｂ）は帯状体を折りたたんだ実施形態６に係る指標付きゴルフシューズの平面図である。
【図８】（ａ）は実施形態７に係る指標付きゴルフシューズの平面図であり、（ｂ）はフックを外した状態の実施形態７に係る指標付きゴルフシューズの底面図である。
【図９】実施形態８に係る指標付きゴルフシューズの平面図である。
【図１０】（ａ）は図９のＡ−Ａ断面図であり、（ｂ）は（ａ）において補助指標を収納した状態を示す断面図である。
【図１１】（ａ）は実施形態９に係る指標付きゴルフシューズの斜視図であり、（ｂ）は実施形態９に係る指標付きゴルフシューズの補助指標部１３０部分をのばした状態における、当該部分の靴底の断面図である。
【符号の説明】
【００２４】
Ｘ、Ｘａ、Ｘｂ、Ｘｃ、Ｘｄ、Ｘｅ、Ｘf1、Ｘf2、Ｘg、Ｘh  指標付きゴルフシューズ
１０、２０、３０、４０、５０、６０  指標部
１１、２１、２５、５１  指標
１２  支点部
１３、２３、２６  磁石
１４  鉄板
２２  回転軸
３１  小片
３２  係合穴
４１  シート体
４１ａ  縁部
４２  金属ホックの係合部
４３  金属ホックの被係合部
５２、６２  回転固定部
６１  帯状体
６３  規制体
６４ａ  面ファスナーの係合部
６４ｂ  面ファスナーの被係合部
１１０、１２０、１３０  補助指標部
１１１、１２１  補助指標
１１２  リール
１１３  リング部
１２２、１３２  収納部
１３１ａ〜１３１ｄ  角パイプ
１３３  球継ぎ手
【図１】
2009045393.tif 000003
【図２】
2009045393.tif 000004
【図３】
2009045393.tif 000005
【図４】
2009045393.tif 000006
【図５】
2009045393.tif 000007
【図６】
2009045393.tif 000008
【図７】
2009045393.tif 000009
【図８】
2009045393.tif 000010
【図９】
2009045393.tif 000011
【図１０】
2009045393.tif 000012
【図１１】
2009045393.tif 000013